Podtech/llm-jp-corpus-v4-ja_patent huggingface dataset:
(57)【要約】  【課題】  凹凸のある複雑な外形を有する容器を熱収縮性チューブ状フィルムによって包装しても印刷面が不等に収縮して乱れないこと。  【解決手段】  円周方向の一部に１軸方向に延伸させた熱収縮部分11を形成し、他の部分に非収縮部分12を形成して、この非収縮部分12を印刷面とした熱収縮性チューブ状フィルム１である。この熱収縮性チューブ状フィルム１の先端部を開口し、品物を入れた薄壁包装容器２を挿入して後端部を切断したのち、熱収縮部分11を熱収縮させて包装すると、凹凸のある複雑な外形を有する容器であっても印刷面が乱れないので、商品の外観が良くなり、ディスプレー効果を向上させることができる。【選択図】    図２
2008094429.tif 000002
【特許請求の範囲】
【請求項１】
円周方向の一部に１軸方向に延伸させた熱収縮部分を形成し、他の部分に非収縮部分を形成して、該非収縮部分を印刷面としたことを特徴とする熱収縮性チューブ状フィルム。
【請求項２】
円周方向の一部に１軸方向に延伸させた熱収縮部分を形成し、他の部分に非収縮部分を形成し、該非収縮部分を印刷面とした熱収縮性チューブ状フィルムの先端部を開口して品物を入れた薄壁包装容器を挿入して後端部を切断したのち、上記熱収縮部分を熱収縮させることを特徴とする包装方法。
【発明の詳細な説明】
【技術分野】
【０００１】
この発明は、熱収縮性を有する部分と熱収縮性を有しない部分とからなる熱収縮性チューブ状フィルムおよびこの熱収縮性チューブ状フィルムを用いた包装方法に関する。
【背景技術】
【０００２】
生鮮食料品、野菜、果実、総菜などを販売する際に、真空成型または圧空成型した薄壁包装容器に商品を盛り付けて、透明な合成樹脂フィルムでラッピングして販売している。また、図３に例示する鶏卵包装容器２のように、身部21および蓋部22を有し、身部21および蓋部22をヒンジ部23により屈曲自在に連結した包装容器に鶏卵を入れて封緘する方法として、包装容器２のフランジ部24をホッチキスで止めたり、粘着性テープで包装する方法が実施されている。
【０００３】
また、巻き取られた熱収縮性チューブ状フィルムを真空吸引装置によって開口して、商品を入れた包装すべき薄壁容器を挿入したのち、約１００℃の熱風を吹付けて収縮させ、挿入口とは反対側の口を切断してシールすることによって薄壁容器を包装する方法が下記特許文献などにより従来より提案されている。
【特許文献１】特開２００１−２１２２号公報
【発明の開示】
【発明が解決しようとする課題】
【０００４】
予め商品の商品名、生産者、品種、品質などを印刷した熱収縮性チューブ状フィルムをＰＥＴボトルのような外形に凹凸が少ないものに適用すると、収縮させたときに縦方向および横方向にそれぞれ比例した寸法に均等に収縮するので、印刷した文字・図形が乱れることはない。しかし、鶏卵包装容器のような凹凸のある複雑な外形を有する容器の包装に適用すると、熱風を吹付けて収縮させる際に、容器の外形に倣って不等に収縮するので、印刷面が乱れて文字・図形が見難くなる。
【０００５】
そこで、この発明は、熱収縮性チューブ状フィルムの全体を収縮させることなく、部分的に収縮させ得るように構成して、収縮させない部分を印刷面とした熱収縮性チューブ状フィルムを得るために考えられたものである。
【課題を解決するための手段】
【０００６】
この発明の熱収縮性チューブ状フィルムは、円周方向の一部に１軸方向に延伸させた熱収縮部分を形成し、他の部分に非収縮部分を形成して、この非収縮部分を印刷面としたものである。
【０００７】
この発明の包装方法は、円周方向の一部に１軸方向に延伸させた熱収縮部分を形成し、他の部分に非収縮部分を形成し、この非収縮部分を印刷面とした熱収縮性チューブ状フィルムの先端部を開口し、品物を入れた薄壁包装容器を挿入して後端部を切断したのち、上記熱収縮部分を熱収縮させる方法である。
【発明の効果】
【０００８】
この発明の熱収縮性チューブ状フィルムを用いて包装すると、薄壁包装容器を包むので容器が薄い合成樹脂シートで作られたものであっても品物の安全性を保つことができ、また、薄壁容器に封緘のためのフランジ部を省くことができるので、使用する合成樹脂シートを減らすことができる。
【０００９】
さらに、この発明の熱収縮性チューブ状フィルムは、円周方向の一部に１軸方向に延伸させた熱収縮部分を形成し、他の部分に非収縮部分を形成して、この非収縮部分を印刷面としているので、凹凸のある複雑な外形を有する容器を包装しても印刷面が収縮しない。したがって、印刷面が乱れないので商品の外観が良くなり、ディスプレー効果を向上させることができる。
【発明を実施するための最良の形態】
【００１０】
この発明の熱収縮性チューブ状フィルムは、図１および図２に示すように、幅方向に１軸方向に延伸させた熱収縮シート11と、延伸処理を施さず、かつ文字・図形121を印刷した非収縮シート12とを縦方向に接合13し、さらに、両側部を接合14してチューブ状に形成して部分的に収縮部分を有する熱収縮性チューブ状フィルム１としたものであり、巻き取って保管される。
【００１１】
なお、熱収縮シート11と非収縮シート12との接合13、14は、接着剤を用いて接着したり、超音波溶着により溶着させればよいのである。
【００１２】
図２に示すように、巻き取られた熱収縮性チューブ状フィルム１の先端部を上下の真空吸引板（図示せず）によって開口し、包装すべき品物を入れた容器２を挿入して後端部を切断したのち、熱収縮シート11の部分に約１００℃の熱風を吹付けると、図３に示すように、長手方向に収縮することなく、予め１軸延伸した熱収縮シート11の部分のみが横方向に収縮し、細くなって挿入された容器２を包み込んで包装することができる。
【００１３】
この発明の熱収縮性チューブ状フィルム１は、熱風を吹付けても収縮しない非延伸部分が形成されているので、この非延伸部分にグラビア印刷などにより予め品物の内容・品質・出所などを印刷しておくと、容器２を挿入して全体に熱風を吹き付けて熱収縮させても印刷面が乱れることはないのである。
【図面の簡単な説明】
【００１４】
【図１】この発明の熱収縮性チューブ状フィルムの製造工程の途中の状態を示す平面図、
【図２】この発明の熱収縮性チューブ状フィルムにより包装する途中の状態を示す側面図、
【図３】この発明の熱収縮性チューブ状フィルムにより包装した状態を示す斜視図である。
【符号の説明】
【００１５】
１  熱収縮性チューブ状フィルム
11  熱収縮シート
12  非収縮シート
121  印刷した文字・図形
13、14  接合
２  容器
【図１】
2008094429.tif 000003
【図２】
2008094429.tif 000004
【図３】
2008094429.tif 000005
(57)【要約】【課題】  人力車両（自転車、乳母車、人力車、リアカー、車椅子）において方向指示表示、車幅表示、ブレーキ作動表示機器システムは無かった、そのため事故につながることも多く、問題があった。【解決手段】  人力車両に照光式点滅の方向指示表示器▲１▼、照光式車幅表示器▲２▼またはセンター表示器▲３▼、ブレーキ作動時照光式表示器▲４▼を取り付け、自分の移動しようとする方向を指示表示しその意思を第３者に明確にし、また停止しようとする意思もブレーキ作動表示で明示し、発電の無い停車時にも点滅、点灯表示するようにし安全を図った。【選択図】図２
2008094365.tif 000002
【特許請求の範囲】
【請求項１】
人力で動く車両、自転車、乳母車、人力車、リアカー、車椅子などに安全確保のため、自分が移動する方向指示する点滅照光式方向指示表示器▲１▼、自分の車の状態、前後、左右方向指示の基準となる仮想の場合もある車幅、センターを示す車幅照光式表示器▲２▼またはセンター位置を示す照光式表示器▲３▼、停止のためのブレーキ作動表示器▲４▼の作動時照光表示ランプを取り付け、自分の動き、停止の意志表示を可能とし、発電のない停車時も点滅、点灯表示するようにしたこと
【発明の詳細な説明】
【技術的分野】
【０００１】  本発明は人力にて走行する自転車、乳母車、人力車、リアカー、車椅子などの車（以下人力車両と表記する）において、従来、自転車等は進行変更時方向を確認することは動き始めて判るなど難しく、昼間は片手運転という安全上の問題があるにしても、自転車等は進行方向をハンドルから片手離して表示するように指導されており、進行方向を確認できる、しかし夜間の進行方向の確認は困難であった、また夜間の人力車両の存在の確認、とくに停止時の確認はヘッドライトも消えて反射板、反射テープによる存在の確認のみになり、存在確認が難しかった、また雨の夜などは事故に至るなど、安全上も問題があった。
乳母車、人力車、リアカー、車椅子も夜間はその存在が確認し難く、反射板、反射テープによっていた、さらに、その進行方向変更等は第３者から確認するのは不可能であった。
そこでこの発明では人力車両に車幅、進行方向、ブレーキ作動時を表示する装置に関するものである、ここで車幅またはセンター位置を点灯、表示させ、加えて方向指示表示を点滅表示する発光システムを設置し、さらにブレーキ作動時点灯表示させ、安全に運転させることを可能としたシステムに関するものである。
【背景技術】
【０００２】  最近の高効率発電、制動による熱損失部分の発電化技術により、人力に負荷をかけず効率よく発電できるシステム、加えて蓄電池の軽量、コンパクト、充電容量拡大化があり、さらに、高効率の高輝度発光体の存在により可能となった発明である。
【発明の開示】
【発明が解決しようとする課題】
【０００３】  そこで、自転車、乳母車、人力車、リアカー、車椅子等が昼夜を、晴雨を問わず、安全運転可能とするために、人力で動かす車両の存在を確認しやすくする、第３者に進行方向、停車を前もって知らせるなどその動く方向をより早く知らせるなどにより、安全を確保して行こうとするものである。
【課題を解決するための手段】
【０００４】  従来の人力車両の車幅▲２▼、センター位置▲３▼を表示、照光点灯等で表示させ、車の存在と仮想幅、表示色の違い、ランプ灯数の変更により前後関係を確認させる。
その車が左に進むか、右に進むかの方向指示表示器▲１▼を点滅表示する発光ランプで前後に設置し、車幅またはセンター位置の表示の相対位置により人力車両が左に進むか、右に進むかを認識させ、車の向きを変える前に左か右進行かを第３者に知らせ、安全に運転させることを可能とする。  この進行方向指示表示器▲１▼はハンドルに取り付けられたスイッチ▲１０▼を操作し、ハンドルから手を離すことなく操作を可能にしている。
また、停車を知らせる、ブレーキ作動表示器▲４▼を取り付け後方からの第３者にも知らせ追突を防止するシステムである。【０００５】  一般には発電用ダイナモ▲８▼（最近は制動時のエネルギーの活用等、高効率同軸タイプもある）より充電を受け、その充電を蓄電の出来る電池▲９▼に行う。または、市販の乾電池でも運用できる。
加えて最近では効率の良い発光体が開発され、それらを組み合わせることにより、安全のため点灯しても、消費電力は僅かであり、駆動力が重いと感じるものではない、この発電、充電、蓄電点灯システムによりメンテナンスをほとんど行わなくても、これらの安全機能を常時運用できる。ただし、乾電池の場合は交換が必要となる。
【発明の効果】
【０００６】  車幅またはセンター位置表示装置は、  従来の人力車両に表示または照光式の車幅表示器▲２▼、またはセンター位置表示器▲３▼を表示させる装置を設置し、その存在と前後、左右の位置関係を明確にさせることにより、安全に運転ができる。暗い夜道、特に雨の降る夜間では存在は確認できず事故につながることが多かった。
その存在を容易に確認できるようにし、安全性を大幅に確保した。【０００７】  進行方向表示装置は、  車幅、センター位置表示とあいまって、左または右に進むかを、方向指示表示器▲１▼を点滅照光させることにより、車の方向変換を前もって、第３者に知らせることができ、さらに停車時でも方向指示を点滅表示し続けることができ、ハンドルから手を離すことなく操作できるスイッチ▲１０▼を設け、安全性が大幅に確保できるようになった。【０００８】  ブレーキ作動表示ランプ▲４▼は  ブレーキの作動で接点を切り替えることにより点灯するものとし、追突を防止し、停止しようとする物体の存在を、追従者に知らせる安全上重要な装置である。【０００９】  これらの装置が、昼間はもとより、夜間運転時点灯することにより、現状では、車輪が止まった際、駆動輪停止によって発電が停止し、ヘッドライト▲５▼が消灯しても、車幅表示ランプ▲２▼またはセンター位置表示ランプ▲３▼、方向指示表示器▲１▼は点灯、点滅し続けるため、その存在、進路変更を常時確認することができ大幅な安全確保が可能となる。
【図面の簡単な説明】
【００１０】
【図１】図１は人力車両（例：自転車）の前面正面図である
【００１１】
【図２】図２は人力車両（例：自転車）の後面正面図である
【００１２】
【図３】図３は人力車両（例：車椅子）の前面正面図である
【００１３】
【図４】図４は人力車両（例：車椅子）の後面正面図である
【符号の説明】
【００１４】  ▲１▼  方向指示表示器である
▲２▼  車幅表示器である
▲３▼  センター位置表示器である
▲４▼  ブレーキ作動表示器である
▲５▼  ヘッドライトである
▲６▼  リム輪である
▲７▼  キャスター輪である
▲８▼  発電用ダイナモである
▲９▼  充電池または乾電池である
▲１０▼  方向指示表示器動作用スイッチである
【図１】
2008094365.tif 000003
【図２】
2008094365.tif 000004
【図３】
2008094365.tif 000005
【図４】
2008094365.tif 000006
(57)【要約】      （修正有）【課題】極限まで軽量化を行い離陸前の運動エネルギーの消費を極力抑えた垂直離着陸機を提供する。【解決手段】２つの回転翼の駆動シャフトをそれぞれ垂直より１３．６度傾斜してそれぞれのローター回転方向を反対に回せば接触しないそうする事によってスパンが短かくなって軽量化が可能である。ローターは可変ピッチ式にする。しかも自動遠心式、構造が単純で軽量。【選択図】図１
2008094368.tif 000002
【特許請求の範囲】
【請求項１】
自動遠心式可変ピッチローター
【請求項２】
機体全体のコンパクトな構造
【発明の詳細な説明】
【技術分野】
【０００１】  本発明は人力垂直離着陸機に関するものであり形の工夫によってはよりコンパクトになる
【背景技術】
【０００２】  従来の人力垂直離着陸機は実験用又は研究用に開発されましたその大きさは体育館を半分占拠する程でした
【発明が解決しようとする課題】
【０００３】  機体を小さくする高強度で最軽量離陸時の運動エネルギーの消費を少なくする
【課題を解決するための手段】
【０００４】  この課題を解決するため請求項１の発明は離陸時の運動エネルギー消費を極力抑えるため自動遠心式可変ピッチローターを考案
【０００５】  請求項２では機体の駆動シャフトを垂直より１３．６度の傾斜を付けましたそうする事によって機体を短かくし軽量で強度も増す
【発明の効果】
【０００６】  本発明によって高強度軽量コンパクトになり離陸時の無駄なエネルギー消費を解消
【発明を実施するための最良の形態】
【０００７】  図１は垂直離着陸機の側面図である
駆動シャフトの傾斜が垂直より１３．６度に設定その理由はブレードどうしが交差したとき接触しない最低限の角度【０００８】  図３、図４、図５は自動遠心式可変ピッチローターの拡大図である
ブレードの向い角度をピッチゼロに設定してローターの回転を始める
回転速度が最高に達した時ハンドルレーバーを握るとロッドがフランヂから外れブレードは遠心力で外側に６０ｍｍ移動するピッチ溝によって向い角度が瞬時にピッチゼロから６度になって機体は上昇する【０００９】  機体の構造強度には限界がある軽量を維持するため重要ポイント部分にはワイヤーを張り巡らして強度を保つ
【産業上の利用可能性】
【００１０】  本発明に係る人力垂直離着陸機は量産する事が可能であるため、産業上の利用可能性を有する
【図面の簡単な説明】
【００１１】
【図１】側面図
【図２】正面図ブレード１本外した状態
【図３】可変ピッチローター正面拡大図
【図４】正面拡大図ロッドがフランヂから外れた状態
【図５】可変ピッチローター側面拡大図
【図６】可変ピッチローター平面拡大図
【符号の説明】
【００１２】１  ダブルスプロケット型クランクペダル
２  減速機付９０度ギア
３  ユニバーサルジョイント
４  可変ピッチ用レーバー付ハンドル
５  高さ調整型サドル
６  ワイヤーケーブル付ロッド固定装置
７  二重反転ベアリング付フランヂ
８  可変ピッチローター
９  ロッド
１０  ブレード
１１  向い角度調整用ストッパーリング
１２  ローター貫通型ステンレスバー
１３  ワイヤー誘導用ステンレス滑車
１４  ワイヤーフック取外しが出来る
【図１】
2008094368.tif 000003
【図２】
2008094368.tif 000004
【図３】
2008094368.tif 000005
【図４】
2008094368.tif 000006
【図５】
2008094368.tif 000007
【図６】
2008094368.tif 000008
(57)【要約】【課題】船舶の新造船、旧造船の製造、又は修理、又は清掃管理に一船１１階で５０００個から８０００個の船床鋼板床穴から水滴、塵等が船床清掃後、下に落ちない様に鉄製のネジ止めで従来はしている、その床穴キャップをネジ止めする必要が無くなる。簡単で差込むだけの便利な船舶床用マグネットキャップを提供する事を目的とする。【解決手段】上記の課題を解決する為に、本体を軟質のゴム製にし、船舶床鋼板床穴と密着するサイズにして、マグネットで磁力接着の出来る装置になっている事で解決。【選択図】図１
2008094362.tif 000002
【特許請求の範囲】
【請求項１】
船舶床用マグネットキャップは、マグネットの磁力によって密着が強く、取付け簡単で作業性に富む事を手段とする。この事を特徴とする船舶床用マグネットキャップ。
【請求項２】
船舶床用マグネットキャップは、取付け、取外しが簡単に出来る請求項１に記載の船舶床用マグネットキャップ。
【請求項３】
床穴から一滴の水も漏らさない為に、床穴鋼板の方と船舶床用マグネットキャップの胴体をテーパー式にして、シール部を設け密着度をよくしている特徴のある船舶床用マグネットキャップ。
【請求項４】
船舶床用マグネットキャップの使用後の後処理として、洗浄、保管の管理が簡単に出来る事を特徴としている船舶床用マグネットキャップ。
【請求項５】
船舶床用マグネットキャップは、安価で何物にも負けない、経済的に優れた事を特徴とする。
【発明の詳細な説明】
【技術分野】
【０００１】本発明は、車輌積込船舶の船床穴に係わり、穴カバーの取付け、取外しが簡単で、作業性がよく耐久性に優れた車輌積込船舶床用マグネットキャップに関する。
【背景技術】
【０００２】従来はネジ止め方式となっていて、鋼板を当てがい、ドライバーを使用してネジ締めして止めている。ネジの錆び止め、又、ネジの曲り、又、傷等、管理に時間がかかり、又、廃棄処分が多く、不経済である。
【発明の開示】
【発明が解決しようとする課題】
【０００３】上記の車輌積込船舶床穴用マグネットキャップは、従来の技術とは全く違った別の新技術を発明、ネジ止めでは取付け、取外しに時間がかかり問題点が多いので、マグネットキャップを開発して課題を解決した。【０００４】ネジ止め式の場合、清掃、保管、管理が困難。
【課題を解決する為の手段】
【０００５】本発明は、軟質ゴムにシール部を設け、特別な磁力のあるマグネットを使用してキャップをする。簡単に取付け、取外しの出来る手段が特徴とされ、その手段を解決した。
【発明の効果】
【０００６】本発明により、従来のネジ止め式鋼板穴キャップに比べ、以上連記した塵の漏れ、水の漏れはなく取扱に作業性に富み、使用後の管理が簡単に出来、安価である事から効果は抜群の車輌積込船舶床用マグネットキャップである。
【発明を実施するための最良の形態】
【０００７】本体の軟質ゴムのシール部とマグネットの強力な磁力により、塵、又は一滴の水も漏らさない構造になっている。【０００８】本発明を添付する図面に基づいて、以下詳細に説明をする。【０００９】図１に於いて、１は本体で軟質ゴム製、材質ＮＲ、硬度６５±５、色は黒色、ＴＳ２００ＫＧ／Ｃｍ２老防８１０ＮＡ。【００１０】図１の２は、マグネットシート部分で磁力約１０ＫＧ／Ｃｍ２、シート圧、２ｔで強力に磁石する。【００１１】図１の３は、密着度を高くする為のシール部で、これにより塵、又は、一滴の水も下に落とさない為。【００１２】図２は、１１階の船床鋼板に開けてある穴の１個の切取図で、この鋼板の船床穴が一船で５０００個から８０００個ある。
【図面の簡単な説明】
【００１３】
【図１】本体のマグネットキャップの見取図
【図２】船床鋼板穴の１箇の見取図
【符号の説明】
【００１４】１  本体のゴム
２  マグネット部
３  本体ゴムのシール部
【図１】
2008094362.tif 000003
【図２】
2008094362.tif 000004
(57)【要約】【課題】従来の自動車の後部座席のヘッドレストを取り外した場合、支持棒の差し込み穴が放置したままであった。これは差し込み穴をカバーする製品がなかったためである。【解決手段】本製品上部よりぬいぐるみを差し込み、座席に取り付けることにより差し込み穴を隠すことができる。【選択図】図１
2008094363.tif 000002
【特許請求の範囲】
【請求項１】
棒状の部材１を支持体とし先端部分に球体の部材２を取り付け、先端の部材２を部材３で覆った製品。
【請求項２】
先端の部材２を取り付けることにより、ぬいぐるみを差し込み時部材１が抜けないように加工した製品。
【発明の詳細な説明】
【技術分野】
【０００１】本発明は、自動車の装飾する為のアクセサリーに関する。
【背景技術】
【０００２】従来自動車のヘッドレストを取り外した場合、取り付け穴が上部にむき出しになり穴があいたままの状態になっている。
【発明の開示】
【発明が解決しようとする課題】
【０００３】以上に述べた従来の状態では穴が開いたままになっており周囲から目につき違和感を与えるものであった。【０００４】本発明は上記のような問題点を解決しようとするものであり、開いたままの穴に挿入し、かつ上部にぬいぐるみ等を取り付ける事で穴を隠す事を目的とするものである。
【課題を解決するための手段】
【０００５】そして、本発明は上記目的を達成するために棒部先端に球体を取り付け上部にぬいぐるみを固定できるようにしたものである。【０００６】部材１についてはステンレス、部材２についてはゴム、部材３についてはウレタン樹脂が好ましい。
【発明の効果】
【０００７】上述したように本発明品は本製品を取り付ける事によりヘッドレスト取り付け穴を目隠しできるだけでなく、見た目においても楽しみや癒し効果を期待できる。
【発明を実施するための最良の形態】
【０００８】以下、本発明の実施の形態を図１に基づいて説明する。【０００９】図においては、部材１は棒状の支持体である。部材２は先端の球体である。
部材３は部材２を覆っているコーティング材である。
【図面の簡単な説明】
【００１０】
【図１】本発明の実施形態を示す外観図
【符号の説明】
【００１１】１  棒状の支持体である部材１
２  球体である部材２
３  コーティング材である部材３
【図１】
2008094363.tif 000003
(57)【要約】【課題】柱状消しゴムを保持でき、かつ、書類下などへの紛れ込みを防止した、消しゴムを保持具を提供する。【解決手段】嵌め込み型消しゴム保持体、および、嵌め込み型消しゴム保持体と結合した棒状またはリボン状の彩飾された紛失防止用マーカーを備えた消しゴム保持具とする。【選択図】図１
2008094069.tif 000002
【特許請求の範囲】
【請求項１】
柱状に加工された消しゴムの保持具であって、前記消しゴム本体乃至は前記消しゴム本体包装物の少なくとも２点で接触して保持する嵌め込み型消しゴム保持体および前記嵌め込み型消しゴム保持体と結合した棒状乃至はリボン状のマーカーを具備して成ることを特徴とする消しゴム保持具。
【請求項２】
四角柱状に加工された消しゴムの保持具であって、前記消しゴム本体乃至は前記消しゴム本体包装物の対称面を挟んで保持する嵌め込み型消しゴム保持体を具備して成ることを特徴とする請求項１の消しゴム保持具。
【請求項３】
棒状乃至はリボン状のマーカーを彩飾して成ることを特徴とする請求項１及び請求項２の消しゴム保持具。
【請求項４】
棒状乃至はリボン状のマーカーを弾性体により形成することを特徴とする請求項１及び請求項２及び請求項３の消しゴム保持具。
【請求項５】
消しゴム使用時に、棒状乃至はリボン状のマーカーが、消しゴム保持体を握っている使用者の指と指の間を抜けて保持される形状であることを特徴とする請求項１及び請求項２及び請求項３及び請求項４の消しゴム保持具。
【請求項６】
リボン状のマーカーに目盛を施しメジャーの機能を付加したことを特徴とする請求項１及び請求項２及び請求項３及び請求項４及び請求項５の消しゴム保持具。
【発明の詳細な説明】
【技術分野】
【０００１】  本発明は、柱状に形成された市販消しゴムの保持具に関するものである。
【背景技術】
【０００２】  従来、角柱や円柱に加工されその外周部を包装用厚紙で包まれたプラスチック消しゴムが広く市販されている。しかし、これらの消しゴムの大概はシャープペンシルなどの筆記具に比べて長さが短い。そのため、深さのある鉛筆立てに入れると底に落ちてしまい取り出しが面倒であったり、机上に置いていても書類の間に紛れ込んで見えなくなってしまう場合が多々あった。
ペン型の消しゴム保持具も発明されているが、このペン型の消しゴム保持具にはそれように作られた専用の消しゴムを用いる必要がある。
【発明の開示】
【発明が解決しようとする課題】
【０００３】  従来知られている技術には次のような課題があった。
（イ）市販品として広く流通している柱状消しゴムを保持でき、かつ、紛れ込みを防止した消しゴム保持具を提供する。
本発明は以上の課題を解決しようとするものである。
【課題を解決するための手段】
【０００４】  柱状に加工された消しゴム本体又は消しゴム本体包装厚紙の少なくとも２点で接触して保持する嵌め込み型消しゴム保持体、および、嵌め込み型消しゴム保持体と結合した棒状またはリボン状の彩飾された紛失防止用マーカーを備えた消しゴム保持具。
以上を特徴とする消しゴム保持具である。
【発明の効果】
【０００５】  本発明は、▲１▼市販の消しゴムを消しゴム保持体の間隙に嵌め込むだけでよく、▲２▼消しゴム本体よりも全長が長くなるので、深さのある鉛筆立てに入れてもマーカー部分を引っ張ることで取り出すことができ、▲３▼マーカーを彩飾してあるので書類に紛れても見つけだし易いという効果がある。
【発明を実施するための最良の形態】
【０００６】  以下、本発明の実施の形態について説明する。
（イ）四角柱状に加工された消しゴム（１）の保持具であり、消しゴム本体包装物（２）の対称面を挟んで保持する嵌め込み型消しゴム保持体（４）、および、嵌め込み型消しゴム保持体（４）と接着剤等で結合したリボン状の彩飾された紛失防止用マーカー（５）で構成する。リボン状のマーカー（５）は発泡ウレタンなどの弾性体を用いる。
本発明は以上のような構造で、これを使用するときは以下のように行う。
包装物（２）で包まれた消しゴムを嵌め込み型消しゴム保持体（４）に嵌め込む（図１）。使用者は嵌め込み型消しゴム保持体（４）の部分をもち、指と指の間にリボン状のマーカー（５）を通して保持する（図４）。使用が進み消しゴム本体（１）が摩滅してきたら、消しゴム本体（１）と包装物（２）を先側に押し出し、破線切り込み（３）で包装物（２）を切って新たな消しゴム本体（１）を表に出す。
なお、マーカー部分をビニール等のメジャーに替えれば、メジャー機能を付加することが可能である。
【図面の簡単な説明】
【０００７】
【図１】本発明の斜視図
【図２】消しゴムを嵌め込んだ状態の斜視図
【図３】本発明の別形状の斜視図  （Ａ）は消しゴムを嵌め込む前の別形状の斜視図  （Ｂ）は消しゴムを嵌め込んだ状態の別形状の斜視図
【図４】使用例の説明
【符号の説明】
【０００８】  １  消しゴム本体
２  包装物
３  破線切り込み
４  嵌め込み型消しゴム保持体
５  マーカー（リボン状）
【図１】
2008094069.tif 000003
【図２】
2008094069.tif 000004
【図３】
2008094069.tif 000005
【図４】
2008094069.tif 000006
(57)【要約】【課題】  車椅子やベッドで過ごすお年寄りの方のために、心の楽しみをもたらし手先の訓練、脳の活性化を促す介護用の布絵本を提供する。【解決手段】  複数の布体を一方で固着し、布体の片面には任意の造形物を設け、各布体の造形物に手で触れ・考え・遊びながら心の楽しみや手先の訓練、脳の活性化を促す仕組みを持つ介護用の布絵本。【選択図】図１
2008094072.tif 000002
【特許請求の範囲】
【請求項１】
複数の布体を一方で固着し、布体の片面には任意の造形物を設け、各布体の造形物に手で触れ・考え・遊びながら心の楽しみや手先の訓練、脳の活性化を促す仕組みを持つ介護用の布絵本。
【発明の詳細な説明】
【技術分野】
【０００１】  本発明は、車椅子やベッドで一日を過ごすお年寄りの方に心の楽しみをもたらすためのリハビリ感覚で遊べる介護用の布絵本に関するものである。
【背景技術】
【０００２】  従来、寝たきりのお年寄りの方の楽しみは、お食事と家族や介護福祉員の声かけなどで隣人との会話も無く日々を淡々と過ごしている。
【発明の開示】
【発明が解決しようとする課題】
【０００３】  そのために、次のような問題点があった。
（イ）ベッドで一日を過ごすため、運動能力の低下や手先の訓練、脳への刺激が少ない。
（ロ）言葉を上手く伝えられない方は、家族、介護福祉員、隣人とのコミュニケーションが取りにくい。
本発明は、以上の問題点を解決しようとするものである。
【課題を解決するための手段】
【０００４】  複数の布体を一方で固着し、布体の片面には任意の造形物を設けてある。各布体の造形物に手で触れ・考え・遊びながら、心の楽しみや手先の訓練、脳の活性化を促す仕組みを持つ。以上を特徴とする介護用の布絵本である。
【発明の効果】
【０００５】  本発明は、ベッド上、体を起こし卓上で手軽に遊べ、複数の布体の任意の造形物を見る、手で触れる、思考を働かせる事で手先の訓練、リハビリ、脳の活性化、創造の楽しみを向上できる。また、家族や介護福祉員、隣人の励ましの声かけや共同作業の中、コミュニケーションを豊かにできる。
本発明の素材を布にしたことで肌に優しい温もりの感触や癒しを体感できる。
【発明を実施するための最良の形態】
【０００６】  以下、本発明の実施の形態を説明する。
（イ）複数の布体（１ａ）（１ｂ）（１ｃ）の一方を背表紙（２）で固着した絵本本体（Ａ）を設ける。
（ロ）布体（１ａ）に布を用いた裸の人形（５）を設ける。ひも（４）を人形の頭部に固着して布体（１ａ）に縫い付け固着（３）する。
（ハ）別に用意した着物（６）の胴部となる帯（７）の両側に面テープ（７ａ）を設け、装着する。
（ニ）布体（１ｂ）の下部分に細長状のポケット（１１）を設け、内部に花体（８）、葉（１０）の茎・ひも（９）を５本束ねて固着する。
（ホ）花体（８）、葉（１０）の裏面には、面テープ雄（１３）を設け、面テープ雌（１２）は布体（１ｂ）の５ヶ所に縫い付ける。
（ヘ）布体（１ｃ）に開口部（１３）を上に向けた巾着袋（１７）を設け、布体（１ｃ）に底面部（１９）を縫い付け固着する。
（ト）固着した巾着袋（１７）の開口部のひも（１５）を緩め、別に用意した布製お手玉（１８）複数個を巾着袋（１７）の中に収め、ひも（１５）を閉めておく。
本発明は以上の構成よりなるもので、以下使用方法について説明する。
布体（１ａ）について述べると、吊るされた人形（５）の着物（６）の帯を離して脱がせたり、また帯を巻いて裸の人形に着せたり、立体的な人形が形成される。また、着物（７）のデザインを変更することにより様々な着せ替え人形を楽しめる。人形（５）はひも（４）で固着（３）されているので人形（５）と布体（１９）の隙間があり、人形の着せ替えを手にとって楽しめる。
次に布体（１ｂ）について説明する。
ポケット内に納められている花体（８）、葉（１０）を一つ一つ取り出し、花体（８）、葉（１０）の裏面に設けた面テープ雄（１３）を布体（１ｂ）に設けた５ヶ所の面テープ雌（１２）に止めていく。どの位置に止めるかは利用者の考えに任せる。その結果は花体（８）、葉（１０）のバランス、色彩などを考慮し、位置を変更することで創造性を養い、尚且つ、移動することにより手先のリハビリ効果が生じる。
次に布体（１ｃ）について説明する。
巾着袋（１７）の開口部（１６）のひも（１５）を緩めて開き、収納部（２０）のお手玉（１８）を複数個取り出す。お手玉（１８）を握る、投げる、取るを繰り返し自由に遊んだ後、再び収納部（２０）へ収め、開口部（１６）のひも（１５）を閉める。手先や腕の筋肉を鍛えると共に、お手玉（１８）の片付けを自ら行うことでリハビリ及び思考の働きを促す。
以上のように複数の布（１ａ）（１ｂ）（１ｃ）に様々な造形物を施すことによって、ベッド上に置いて遊び、家族や介護福祉員等とのコミュニケーションが促進され、脳の活性化にも繋がる。尚、本発明は、図面上において布体を３つしか図示しなかったが、これを５布、６布…と増やすことによって、更に別の遊びができる。
【図面の簡単な説明】
【０００７】
【図１】本発明の斜視図
【図２】本発明の布体の分離斜視図
【図３】本発明の着せ替え人形の装着説明図
【図４】本発明の着せ替え人形の分離説明図
【図５】本発明の着せ替え人形の側面図
【図６】本発明の花型パズルの完成図
【図７】本発明の花型パズルの分離説明図
【図８】本発明の花型パズルの側面図
【図９】本発明のお手玉入り巾着袋の装着説明図
【図１０】本発明のお手玉入り巾着袋の分離説明図
【図１１】本発明のお手玉入り巾着袋の側面図
【図１２】本発明の使用状態を示す斜視図
【符号の説明】
【０００８】  Ａ  絵本本体
１  布体（１ａ）（１ｂ）（１ｃ）
２  背表紙
３  固着
４  ひも
５  人形
６  着物
７  帯、７ａ面テープ
８  花体
９  茎、ひも
１０  葉
１１  ポケット
１２  面テープ雌
１３  面テープ雄
１４  固着
１５  ひも
１６  開口部
１７  巾着袋
１８  お手玉
１９  底面部
２０  収納部
【図１】
2008094072.tif 000003
【図２】
2008094072.tif 000004
【図３】
2008094072.tif 000005
【図４】
2008094072.tif 000006
【図５】
2008094072.tif 000007
【図６】
2008094072.tif 000008
【図７】
2008094072.tif 000009
【図８】
2008094072.tif 000010
【図９】
2008094072.tif 000011
【図１０】
2008094072.tif 000012
【図１１】
2008094072.tif 000013
【図１２】
2008094072.tif 000014
(57)【要約】【課題】ゴミの付着しにくい、デコ電用等の装飾用シールを提案する。【解決手段】両面シール１において、ランダムに並べられた装飾パーツ２の間に形成される隙間部分１ａには、ラメと呼ばれる粉末状の装飾材料４がふり蒔かれて接着されている。すなわち、多数接着された装飾パーツ２の間の隙間部分が装飾材料４により覆い隠されるので、粘着部分が露呈せず、ゴミが付着しにくくなっている。【選択図】図１
2008094077.tif 000002
【特許請求の範囲】
【請求項１】
両面シールの一方の面に多数の装飾パーツを接着して構成される装飾用シールにおいて、
前記両面シールの一方の面における前記装飾パーツ間の隙間部分に、粉末状の装飾材料をふり蒔いて接着してあることを特徴とする装飾用シール。
【請求項２】
前記両面シールの周縁に縁取り装飾が施されていることを特徴とする請求項１記載の装飾用シール。
【請求項３】
両面シールの一方の面に多数の装飾パーツを接着して構成される装飾用シールの製造方法において、
樹脂フィルムを所定形状にカットする工程と、
該カット後の樹脂フィルムの表面に粘着剤を塗布する工程と、
該粘着剤を塗布した樹脂フィルムの表面に多数の装飾パーツを接着する工程と、
該装飾パーツを接着した樹脂フィルムの表面に粉末状の装飾材料をふり蒔いて前記装飾パーツ間の隙間部分に接着する工程と、
該樹脂フィルムの裏面に粘着剤を塗布してから剥離シートを貼り付ける工程と、
を含むことを特徴とする製造方法。
【請求項４】
前記カット後の樹脂フィルムの表面に粘着剤を塗布する工程において、
前記カット後の樹脂フィルムの周縁に感圧性粘着剤を下塗りし、該感圧性粘着剤上に装飾素材を圧着して縁取り装飾を施した後、該縁取り装飾の内側に粘着剤を塗布することを特徴とする請求項３記載の製造方法。
【発明の詳細な説明】
【技術分野】
【０００１】
本発明は、携帯電話機や鏡等に貼り付けて装飾を施すためのシールに関する。
【背景技術】
【０００２】
ここ２〜３年の間に、携帯電話機をネイルアートのように飾り付ける“デコ電”と言われる装飾が流行している。その装飾用シールとして、非特許文献１にあるような装飾用シールも販売されている。当該シールは、短冊シート状の両面シールの表面に、宝石を模した樹脂等の装飾パーツをマトリックス状に接着したもので、当該両面シールの裏面に剥離シートが付されて販売されている。このような装飾用シールは、使用にあたって、カッター等で好みのサイズに切断した後、剥離シートを剥がして貼り付ける。
【非特許文献１】楽天ホームページ→アット市場→商品一覧→C  ORIGINAL  デコ電用シール；http://www.rakuten.co.jp/atmart/625815/；２００７年３月２５日検索
【発明の開示】
【発明が解決しようとする課題】
【０００３】
上記従来の装飾用シールは、両面シールの表面に装飾パーツを縦横に並べて接着したものであるが、当シールを貼り付けた携帯電話機などを使っているうちに、装飾パーツの間にゴミが付着して取れなくなるという不具合がある。すなわち、シールの構造上、装飾パーツ間の隙間から、粘着力のある両面シールの表面が外へ露呈することを避けられないので、この部分にゴミが入り込んで両面シールに付着し、取れなくなってしまうためである。
【０００４】
本発明は、この不具合に着目したもので、ゴミの付着しにくい装飾用シールとその製造方法を提案するものである。
【課題を解決するための手段】
【０００５】
本発明によれば、両面シールの一方の面に多数の装飾パーツを接着して構成される装飾用シールにおいて、その両面シールの一方の面における装飾パーツ間の隙間部分に、粉末状の装飾材料をふり蒔いて接着してあることを特徴とする。
【０００６】
また、本発明によれば、両面シールの一方の面に多数の装飾パーツを接着して構成される装飾用シールの製造方法において、樹脂フィルムを所定形状にカットする工程と、該カット後の樹脂フィルムの表面に粘着剤を塗布する工程と、該粘着剤を塗布した樹脂フィルムの表面に多数の装飾パーツを接着する工程と、該装飾パーツを接着した樹脂フィルムの表面に粉末状の装飾材料をふり蒔いて装飾パーツ間の隙間部分に接着する工程と、該樹脂フィルムの裏面に粘着剤を塗布してから剥離シートを貼り付ける工程と、を含むことを特徴とする。
【発明の効果】
【０００７】
本発明の装飾用シール及びその製造方法によれば、両面シールの装飾パーツ間隙間部分に装飾材料をふり蒔いて覆い隠し、粘着力のある両面シール表面が露呈しないようにしてあるので、ゴミが付着しにくく、従来よりも長期間美観を維持することが可能である。
【発明を実施するための最良の形態】
【０００８】
本発明の好適な実施形態について、図示すると共に説明する。
【０００９】
本実施形態の装飾用シールは、一例としてハート形の両面シール１の表面に、宝石の形を模した樹脂や紙、金属等の装飾パーツ２を多数接着することで構成されている。そして、当該両面シール１の裏面には、容易に剥がすことのできる透明な剥離シート３が付されている。
【００１０】
両面シール１において、ランダムに並べられた装飾パーツ２の間に形成される隙間部分１ａには、“ラメ”と呼ばれる粉末状の装飾材料４がふり蒔かれて接着されている。すなわち、多数接着された装飾パーツ２の間の隙間部分が装飾材料４により覆い隠されるので、粘着部分が露呈せず、ゴミが付着しにくくなっている。
【００１１】
また、本実施形態ではさらに、両面シール１の周縁に、金箔による縁取り装飾５が施され、ゴミの付着しやすい周縁部分を覆い隠すと共に装飾性を高めてある。
【００１２】
以上のような両面シール１の表面に多数の装飾パーツ２を接着して構成される装飾用シールの製造方法について、概略説明する。
【００１３】
まず、両面シール１となる樹脂フィルムＦを所定形状、本実施形態ではハード形にカットする。そして、該カット後の樹脂フィルムＦの表面に、粘着剤が塗布される。この粘着材を塗布する前に、本実施形態の場合、縁取り装飾５を施す作業が実施される。すなわち、カット後の樹脂フィルムＦの周縁に感圧性粘着剤を下塗りし、そして、該感圧性粘着剤の上から装飾素材の金箔を被せて押圧することにより圧着し、当該金箔からなる縁取り装飾５を施す。この後、縁取り装飾５の内側に粘着剤を塗布する（図１（Ａ））。
【００１４】
継いで、該粘着剤を塗布した樹脂フィルムＦの表面に、多数の装飾パーツ２を接着していく（図１（Ｂ））。すべての装飾パーツ２を接着し終えたら、樹脂フィルムＦの表面に装飾材料４をふり蒔いて、装飾パーツ２の間の隙間部分に接着する（図１（Ｃ））。
【００１５】
装飾材料４の接着後は、樹脂フィルムＦの裏面に粘着剤を塗布してから剥離シート３を貼り付けて、装飾用シールとする（図１（Ｄ））。
【図面の簡単な説明】
【００１６】
【図１】本発明に係る装飾用シールについて、製法と共に示した説明図。
【符号の説明】
【００１７】
１  装飾用シール
２  装飾パーツ
３  剥離シート
４  粉末状装飾材料
５  縁取り装飾
【図１】
2008094077.tif 000003
(57)【要約】      （修正有）【課題】樹木、竹などの樹液に含まれている各種有効成分を分解したり、熱重縮合などの破壊することなく抽出精製する方法を提供する。【解決手段】樹木を水中に浸し、圧力を加えながら１０５℃〜１２０℃に加熱して樹液を抽出した蒸気を直接蒸留器で蒸留収集する。【効果】リグニンと細胞内含有物を１０５℃〜１２０℃の加圧温水中で抽出し、連続的に蒸留することで分解したり、熱重縮合することなく抽出することができる。【選択図】図１
2008094818.tif 000002
【特許請求の範囲】
【請求項１】
樹木、竹、樹木の葉、竹の葉の内のいずれか一つを水中に浸し、圧力を加えながら１０５℃〜１２０℃に加熱して樹液を抽出した蒸気を直接蒸留精製する樹液抽出精製法。
【請求項２】
樹木、竹、樹木の葉、竹の葉の内、２つ以上を水に浸し圧力を加えながら１０５℃〜１２０℃に加熱して樹液を抽出した蒸気を直接蒸留精製する樹液抽出精製法。
【発明の詳細な説明】
【技術分野】
【０００１】  本発明は樹木や竹に含まれる樹液の抽出、精製の方法に関するものである。
【背景技術】
【０００２】  従来から煎じるという煮沸する方法で樹木、竹、草から人体に有効な成分を取り出してきた。煮沸で抽出できない成分を取り出す方法がいくつか開示されている。超臨界１３０℃〜３５０℃の高温水蒸気で抽出する方法の開示。
【特許文献１】  特開平成６−４８９５２号公報溶剤抽出方法の開示。【特許文献２】  特開昭和６０−１７２９２４号公報蒸留抽出方法の開示。【特許文献３】  特開昭和６０−１６１９２９号公報樹木を虫に食べさせてその虫の糞から抽出する方法の開示。【特許文献４】  ２００３−２７７２７６号公報
【発明の開示】
【発明が解決しようとする課題】
【０００３】  しかし、１００℃以下では十分有効成分を抽出出来ない。また温度を上げて超臨界温度１３０℃〜３５０℃での抽出が提案されているが、十分抽出できるかわりに有効成分が分解したり、熱重縮合してしまうという不具合があった。また溶剤抽出や昆虫の体内経由の抽出は精製に多大な手間を必要とした。これらの不具合を解決することを課題とする。
【課題を解決するための手段】
【０００４】  この課題を解決するための請求項１は有効成分を分解したり、熱重縮合することなく容易にかつ十分に抽出精製することを可能とした。【０００５】  請求項２は２つ以上の素材が持つ有効成分の組合わせを分解したり、熱重縮合することなく十分に、容易にかつ同時に抽出精製することを可能とした。
【発明の効果】
【０００６】  例えば竹の樹液の中にはヘミロース、セルロース、リグニン、細胞内含有成分が含まれていることは知られている。本発明では主としてこの内のリグニンと細胞内含有物を１０５℃〜１２０℃の加圧温水中で抽出し、連続的に蒸留することで分解したり、熱重縮合することなく抽出することに成功した。１３０℃を超えるとヘミセルロースが抽出、更に２３０℃を超えるとセルロースが抽出されるが肝心のリグニンと細胞内含有物が分解したり熱重縮合してしまい本来植物の持っている有効性分を抽出出来ない。本発明の１０５℃〜１２０℃で抽出され蒸留精製されたエキスはリグニン、細胞内含有物が分解したり熱重縮合することなく本来植物が持つ機能である抗酸化効果、抗菌効果が十分発揮できる。【０００７】  この抽出、精製システムは外部と遮断された閉ループ内で生産出来るので外気と触れることなく極めて純度の高いエキス分が抽出精製できる。
【実施例】
【０００８】  図１に示すシステムにより、圧力装置中で１０５℃〜１２０℃に加熱加圧された樹木などのエキス分は水中に抽出され、蒸気となって蒸留装置に入り液化されて受け容器に精製収集される。
【産業上の利用可能性】
【０００９】  本発明に係る樹木などのエキス分抽出精製法は極めて単純で有効性分であるリグニンや細胞内含有物を分解したり熱重縮合することなく合理的に抽出精製出来、量産性にも優れ産業上の利用可能性を有する。樹木、竹に限らず草花、一般植物、果実などにも適用でき応用範囲は広い。
【図面の簡単な説明】
【００１０】  図１は、加熱加圧装置と蒸留装置を備えた本発明の断面図である。
【符号の説明】
【００１１】１      圧力装置                        ８      蒸留装置
２      容器                            ９      冷却水出口
３      水                            １０      冷却水入口
４      樹木などの素材                １１      滴下パイプ
５      加熱装置                      １２      エキスの受け容器
６      圧力調整弁                    １３      抽出精製されたエキス
７      パイプ                        １４      受け容器の蓋
【図１】
2008094818.tif 000003
(57)【要約】【課題】大容量のデータを簡単かつ安全にネットワークを通じて送信する。【解決手段】送信したいデータをフォルダにドラッグアンドドロップするだけで、サーバー側でデータの圧縮およびダウンロード用の暗号化されたＵＲＬを作成する。そのＵＲＬを埋め込んだメール文章の作成、件名および送信先の自動入力を行い、メール送信を自動で行う。受け手は、メール内のＵＲＬをクリックして送られたデータを安全になおかつ圧縮された状態でダウンロードすることができる。【選択図】図１
2008003716.tif 000002
【特許請求の範囲】
【請求項１】
ネットワーク上で利用可能なストレージシステム
【請求項２】
特定のフォルダにドラッグアンドドロップするだけで、ダウンロード用の暗号化されたＵＲＬを記載したメールを直接送信するシステム
【請求項３】
特定のフォルダにドラッグアンドドロップした後、自分宛に送信内容が送信され、その内容を確認および承認することによって送信するシステム
【請求項４】
送信されるメール文章に対してファイルの改竄がされていないことを確認できる情報を埋め込んでメールを送信するシステム
【請求項５】
送信されるメール文章に対してファイルのダウンロード期限をあらかじめ決めることができ、期限後は自動的に削除されるシステム
【請求項６】
送信されるメール文章に対してファイルの圧縮方法を受けて側のコンピュータ等の情報に応じて変化させて送信することのできるシステム
【請求項７】
送信宛先や送信時の文章を、あらかじめ設定した情報を下に自動生成し、メールを送信するシステム
【請求項８】
ダウンロード期限、セキュリティ情報、確認後のメール送信、受け手のOS情報等の設定は、フォルダ内のテキスト情報を基に判断して送信するシステム
【発明の詳細な説明】
【技術分野】
【０００１】
本発明は、ネットワーク上でのストレージを利用して簡単にデータを共有あるいは送信するものに関するものである。
【従来の技術】
【０００２】
従来の技術では、大容量のファイルを送信する場合は、メールの機能に付属している添付ファイルという技術にたよっていたが、その利用に関しては添付できるファイル容量の制限や、送信する際に必要情報をいちいち入力するなどの、いくつかの手順を必要としていた。
【発明の開示】
【発明が解決しようとする課題】
【０００３】
この送信時の作業と手順は、複数の工程を経る必要があり、それが大きな手間となっていた。
【課題を解決するための手段】
【０００４】
該当フォルダ内には、あらかじめ送信先の情報や文章の雛形などが記述された設定ファイルが存在する。
【０００５】
データを送りたいときは、該当フォルダへ送りたいデータもしくはフォルダをドラッグアンドドロップするだけで、データの圧縮、メール文章の自動記入、送信先を決めて自動的に送信することができるようにすることを特徴とする
【発明の効果】
【０００６】
このフォルダへドラッグアンドドロップするという単純な作業により、利用者は複雑な工程を経る必要がなくなる。
【０００７】
またデータは圧縮され、通信時はセキュリティをかけることができるため、安全に大容量のデータをおくることができる。
【発明を実施するための最良の形態】
【０００８】
ネットワーク上にサーバーを設置。サーバー内のフォルダには、送信先や文章など情報をあらかじめ記録しておく。
【実施例】
【０００９】
ユーザーは、ネットワーク上のサーバーに接続して、該当フォルダに、送信したいデータもしくはフォルダをドラッグアンドドロップする。
【００１０】
ドラッグアンドドロップされた時点で、データは圧縮され、ＵＲＬが生成され、メールが送信される。
【００１１】
送信された情報や、受信された情報はログを閲覧することによって把握することが可能
【産業上の利用可能性】
【００１２】
データの送信を多くの頻度で行う業界において、安全になおかつ簡単に送信することにより、利用者の負担を軽減することが可能
【図面の簡単な説明】
【００１３】
【図１】利用者のフローを示したものである。
【図１】
2008003716.tif 000003